(57)【要約】      （修正有）【課題】シートをロール状に巻いた巻回体からそのシートの一部を容易に繰り出すことができ、かつ繰り出したシートを容易にロール状に巻くことができるロール装置を提供する。【解決手段】ロール装置１０は、シートをロール状に巻いた巻回体５からシート９を繰り出し可能に支持する繰出部４と、繰出部４に隣接して設けられ、巻回体５から繰り出した前記シート９の一部をロール状に巻き取る巻取部７とを有し、巻取部７は、一対の固定板と、一対の固定板に回転可能に軸支される複数のローラと、を有する。複数のローラはそれぞれ、下側に凹む円弧状に配置されている。【選択図】図６
2018002438.tif 000002
【特許請求の範囲】
【請求項１】
シートをロール状に巻いた巻回体からシートを繰り出し可能に支持する繰出部と、
前記繰出部に隣接して設けられ、前記巻回体から繰り出した前記シートの一部をロール状に巻き取る巻取部とを有し、
前記巻取部は、一対の固定板と、前記一対の固定板に回転可能に軸支される複数のローラと、を有するロール装置。
【請求項２】
前記複数のローラはそれぞれ、下側に凹む円弧状に配置されている請求項１に記載のロール装置。
【請求項３】
前記一対の固定板は、下側に凹む円弧面を上面に有し、
前記複数のローラそれぞれの上面は、前記固定板の上面よりも上側に位置している請求項１又は２に記載のロール装置。
【請求項４】
前記円弧面は、半円弧面であり、
前記複数のローラはそれぞれ、下側に凹む半円弧状に配置されている請求項３に記載のロール装置。
【請求項５】
前記繰出部に着脱可能に取り付けられ、前記巻取部を下側から支持する支持部材をさらに有する請求項１〜４のいずれか一項に記載のロール装置。
【請求項６】
前記支持部材は、前記シートの繰出方向に延び、前記繰出部に対する前記巻取部の相対位置を変更可能に前記巻取部を支持している請求項５に記載のロール装置。
【請求項７】
前記巻取部は、前記一対の固定板の上面の一端を中心として回動可能に取り付けられ、前記円弧面と略同形状の円弧面を有する一対の補助固定板と、前記一対の補助固定板の円弧面に沿って前記補助固定板に回転可能に軸支される複数の補助ローラとをさらに有する請求項３〜６のいずれか一項に記載のロール装置。
【請求項８】
前記複数のローラの軸方向と前記シートの繰出方向とが略垂直とされている請求項１〜７のいずれか一項に記載のロール装置。
【請求項９】
前記繰出部は、前記巻回体を回転可能に軸支する巻回体軸支部をさらに有する請求項１〜８のいずれか一項に記載のロール装置。
【請求項１０】
前記繰出部は、前記巻回体を下側から支持する複数の送出ローラと、前記送出ローラを回転可能に軸支する送出ローラ軸支部とをさらに有する請求項１〜８のいずれか一項に記載のロール装置。
【発明の詳細な説明】
【技術分野】
【０００１】
本発明は、長尺状のシートをロール状に巻いた巻回体からシートの一部を巻き取るロール装置に関する。
【背景技術】
【０００２】
河川や池の護岸工事、崖の補強工事、住宅地の造成工事等においては、その施工面の崩落を防止するために護岸の表面に合成樹脂系やゴム系の遮水シートを展張し、設置する。また廃棄物処分場では、廃棄物に由来する有害物質が周囲の土壌を汚染することを防止するために、廃棄物処分場の表面全面に遮水シートを展張し、設置する。
【０００３】
従来の遮水シートの展張作業は、ロール状に巻かれた遮水シートを必要な長さだけ測って枚葉状のシートに切り出して、その枚葉状の遮水シートを展張場所に運搬して展張するというように作業者の手作業で行われていたが、遮水シートの重量が重いことや施工部分の傾斜が急だったり、凸凹があったり、ぬかるんでいたりして足場を確保しにくいこと等もあって、必ずしも効率的に遮水シートを展張し得るとは言い難かった。
【０００４】
そこで、遮水シートを効率的に展張する技術を開示する文献として、例えば特許文献１は、図１に示すシート展張装置を用いる方法を開示している。図１は、シート展張装置１を用いたシート９の展張作業を示す模式図である。特許文献１に開示のシート展張装置１は、繰出部４と、当該繰出部４に回転可能に軸支される巻回体５とを有している。巻回体５は、シート９をロール状に巻回したものである。
【０００５】
特許文献１では、図１に示すように、遮水シートを展張する部位にシート展張装置１を配置し、作業者が繰出部４からシート９を繰り出すことによってシート９を展張する。このようにシート９を展張することにより、シート９の一方の端部を繰出部４に支持させながらシート９を展張することができるので、効率的にシート９を展張することができる。
【先行技術文献】
【特許文献】
【０００６】
【特許文献１】実用新案登録第３２００１５１号公報
【発明の概要】
【発明が解決しようとする課題】
【０００７】
上記特許文献１に開示のシート展張装置１を用いてシート９を展張するときには、図１に示す通り、シート展張装置１の設置場所として安定した足場が最低でも１箇所は必要となるが、施工場所によってはこのような足場を確保することが困難なこともある。このような場所にシート９を展張する場合には、従来のように繰出部からシート９を繰り出して枚葉状にシート９を切断し、作業者が展張部分にシート９を運搬して展張しなければならない。
【０００８】
ところが、上記シート９は幅広で重量も重いので、作業者１人でシート９を繰り出すことが困難であり、複数人の作業者が一斉に遮水シートを引っ張って繰り出す必要がある。しかし、各作業者によって遮水シートを引っ張る力加減が微妙に異なるため、遮水シートを一様に繰り出すことが難しく、遮水シートを繰り出した時に遮水シートの表面にシワが生じることもあるし、繰り出した遮水シートを作業者全員で支えながら遮水シートをロール状に丸めていく作業が作業者に過度の負担となっていた。
【０００９】
本発明は、上記現状に鑑みてなされたものであり、その目的は、シートをロール状に巻いた巻回体からそのシートの一部を容易に繰り出すことができ、かつ繰り出したシートを容易にロール状に巻くことができるロール装置を提供することである。
【課題を解決するための手段】
【００１０】
本発明のロール装置は、シートをロール状に巻いた巻回体からシートを繰り出し可能に支持する繰出部と、前記繰出部に隣接して設けられ、前記巻回体から繰り出した前記シートの一部をロール状に巻き取る巻取部とを有し、前記巻取部は、一対の固定板と、前記一対の固定板に回転可能に軸支される複数のローラと、を有する。
【００１１】
本発明によれば、繰出部に支持された巻回体のシートの端部を巻取部側に引っ張ることによって巻回体からシートを繰り出すことができる。この繰り出したシートは、巻回体に巻かれているので巻き癖がついていることから、シートを巻取部まで引っ張って巻取部でロール状に巻くことができる。そして、ロール状に巻いたシートを、巻取部の複数のローラ上で複数のローラとともに回転させることにより、巻回体からシートを繰り出し続けることができ、かつ繰り出したシートをロール状に巻き続けることができる。また繰出部と巻取部とが隣接しているので、巻取部で所望の長さのシートをロール状に巻いた時点で、繰出部と巻取部との間に位置するシートをカッター等で切断することにより、巻回体から必要長さだけロール状に巻いたシートを切り離すことができる。上記構成によれば、展張部分に繰出部を配置できない事情があるときに巻回体からシートを繰り出してその一部をロール状に巻き取って切り出し、切り出した当該シートを展張部分に展張することにより繰出部を配置できない場所にシートを展張することが可能となる。
【００１２】
上記構成において、好ましくは、前記複数のローラはそれぞれ、下側に凹む円弧状に配置されている。
【００１３】
上記構成によれば、複数のローラが下側に凹む円弧状に配置されているので、複数のローラ上でロール状に巻き取ったシートを回転させやすくなるし、ロール状に巻き取ったシートが巻取部から落下することを防止することもできる。
【００１４】
上記構成において、好ましくは、一対の固定板は、下側に凹む円弧面を上面に有し、前記複数のローラそれぞれの上面は、前記固定板の上面よりも上側に位置している。
【００１５】
上記構成によれば、複数のローラのそれぞれの上面が固定板の上面よりも上側に位置しているので、ロール状に巻いたシートが固定板に引っかかることなく、シートをロール状に容易に巻くことができる。
【００１６】
上記構成において、好ましくは、前記円弧面は、半円弧面であり、前記複数のローラはそれぞれ、下側に凹む半円弧状に配置されている。
【００１７】
上記構成によれば、ローラ上でロール状に巻いたシートをさらに巻きやすくすることができるし、ロール状に巻いたシートが巻取部から落下することを防止することもできる。
【００１８】
上記構成において、好ましくは、前記繰出部に着脱可能に取り付けられ、前記巻取部を下側から支持する支持部材をさらに有する。
【００１９】
上記構成によれば、巻取部を支持する支持部材を繰出部から取り外すことができるので、支持部材を取り外すことにより巻回体から繰り出したシートをそのまま展張箇所に展張することも可能となる。逆に繰出部と支持部材とが一体に設けられている場合には、巻回体から繰り出したシートが支持部材に閊えるため、支持部材が邪魔になる虞がある。
【００２０】
上記構成において、好ましくは、前記支持部材は、前記シートの繰出方向に延び、前記繰出部に対する前記巻取部の相対位置を変更可能に前記巻取部を支持している。
【００２１】
上記構成によれば、巻回体からロール状に巻いたシートを切り離す時に、繰出部に対する前記巻取部の相対位置を離すことで巻回体とロール状に巻いたシートとの間を広げることができる。これにより巻回体からロール状に巻いたシートを切り離しやすくなる。
【００２２】
上記構成において、好ましくは、前記巻取部は、前記一対の固定板の上面の一端を中心として回動可能に取り付けられ、前記円弧面と略同形状の円弧面を有する一対の補助固定板と、前記一対の補助固定板の円弧面に沿って前記補助固定板に回転可能に軸支される複数の補助ローラとをさらに有する。
【００２３】
上記構成によれば、補助固定板を固定板の上部に配置することで固定板の円弧面と補助固定板の円弧面とが一体となって断面略円形の巻取スペースを構成することができる。このローラと補助ローラとの間の巻取スペースでシートをロール状に巻くことにより、補助ローラがロール状に巻いたシートの上側に当接するので、ロール状に巻いたシートの径が過剰に大きくなることを抑制することができる。また補助固定板が固定板の上面の一端を中心に回動可能に取り付けられているので、ロール状に巻き取ったシートを得た後に、補助固定板を固定板の上部の位置から固定板の隣接する位置に移動させることによってロール上に巻いたシートの上部を開放することができ、これにより上側にロール状のシートを取り出すことができる。
【００２４】
上記構成において、好ましくは、前記複数のローラの軸方向と前記シートの繰出方向とが略垂直とされている。
【００２５】
上記構成によれば、複数のローラが巻回体から繰り出したシートの繰出方向に略垂直に延びているので、巻回体から繰り出したシートが傾いたり歪んだりすることなく複数のローラ上にシートを供給することができ、ロール状に巻いたシートにシワや捻じれが生じることを抑制することができる。
【００２６】
上記構成において、好ましくは、前記繰出部は、前記巻回体を下側から支持する複数の送出ローラと、前記送出ローラを回転可能に軸支する送出ローラ軸支部と、を有する。
【００２７】
上記構成によれば、送出ローラ上の巻回体からシートを引き出すことで、送出ローラが回転し、これにより巻回体からシートを繰り出すことができる。このようにシートを繰り出すことによりシートにシワが生じることなくシートをロール状に巻くことができる。
【００２８】
上記構成において、好ましくは、前記繰出部は、前記巻回体を回転可能に軸支する巻回体軸支部をさらに有する。
【００２９】
上記構成によれば、巻回体軸支部で軸支された巻回体を回転させることにより巻回体からシートを繰り出すことができる。このようにシートを繰り出すことでも、シートにシワが生じることなくシートをロール状に巻くことができる。
【発明の効果】
【００３０】
本発明のロール装置によれば、シートをロール状に巻いた巻回体からそのシートの一部を容易に繰り出すことができ、かつ繰り出したシートを容易にロール状に巻くことができる。
【図面の簡単な説明】
【００３１】
【図１】シート展張装置を用いたシートの展張作業を示す模式図である。
【図２】実施形態１のロール装置の構成を示す斜視図である。
【図３】巻取部の斜視図である。
【図４】図３のＩＶ−ＩＶ線断面図である。
【図５】ロール装置を用いてシートをロール状に巻いている状態を示す斜視図である。
【図６】ロール状に巻いたシートを巻回体から切り離した後の状態を示す斜視図である。
【図７】実施形態２のシート展張装置の斜視図である。
【図８】図７のシート展張装置からシートを繰り出した状態を示す斜視図である。
【図９】図７のシート展張装置に支持部材を取り付けた状態を示す斜視図である。
【図１０】図９の支持部材の上面に巻取部を搭載した状態を示す斜視図である。
【図１１】巻取部の変形例を示す斜視図である。
【図１２】補助固定板を省略した巻取部でシートをロール状に巻き取る状態を示す斜視図である。
【図１３】繰出部の変形例を示す斜視図である。
【図１４】繰出部の変形例を示す斜視図である。
【発明を実施するための形態】
【００３２】
以下、本発明を実施するための形態について図面を参照しながら詳細に説明する。
【００３３】
（実施形態１：ロール装置）
図２は、本実施形態のロール装置１０の構成を示す斜視図である。本実施形態のロール装置１０は、図２に示すように、長尺状のシートを巻いた巻回体５から所望の長さのシート９だけをロール状に巻き取るものであり、繰出部４と、当て棒６と、巻取部７と、支持部材８とを有している。本実施形態のロール装置１０を用いることにより、巻回体５からシート９を一部繰り出して枚葉状のシートをロール状に丸めた状態で切り取り、当該ロール状のシートを展張したい場所に運んでシートを展張することができる。
【００３４】
繰出部４は、繰出本体部４０と、繰出本体部４０の上部に取り付けられ、巻回体５を回転可能に軸支する巻回体軸支部４１とを有している。巻回体軸支部４１には巻回体５が回動可能に軸支されている。繰出本体部４０は、巻回体軸支部４１の軸方向の長さと略同一の長さの略三角柱形状であり、巻回体軸支部４１を安定して支えるように下側ほど幅広に広がっている。繰出本体部４０には巻回体５に離間して巻回体軸支部４１の軸方向と略平行に当て棒６が取り付けられており、また繰出本体部４０の当て棒６側の面には６本の支持部材８が着脱可能に取り付けられている。
【００３５】
巻回体５は、内部が空洞となったパイプ状の芯材と、芯材の表面に巻かれた長尺状のシートとを有する。芯材の内部は巻回体軸支部４１を取り付けるために空洞になっている。この空洞に巻回体軸支部４１を取り付けることで、巻回体５が回動可能に繰出部４に軸支される。繰出部４に支持された巻回体５のシートの端部を引っ張ることで、後述する図５に示すように巻回体５を回転させながら巻回体５からシート９を繰り出すことができる。巻回体５のシートは、例えば遮水性を示す材料のものが用いられ、例えば、合成樹脂系シート又は合成ゴム系シートを利用することができ、より具体的には、高密度ポリエチレン（ＨＤＰＥ）、低密度ポリエチレン（ＬＬＤＰＥ）、オレフィン系熱可塑性ゴム（ＴＰＯ−ＰＥ系、ＰＰ系）、ポリ塩化ビニル（ＰＶＣ）等の合成樹脂系シート、加硫ゴム（ＥＰＤＭ）等のゴム系シートを利用することができるが、このような材料のみに限定されない。またシートの厚さは１ｍｍ以上であることが好ましい。
【００３６】
当て棒６は、上記巻回体軸支部４１の長手方向の長さよりも長い棒状部材であり、巻回体５に離間して繰出本体部４０に取り付けられ、シートの繰出方向に延びている。図５に示すように、巻回体５から繰り出したシート９を当て棒６に這わせることで、巻回体５から繰り出したシート９が地面に垂れることもなく、またシート９にシワを生じさせることなく巻回体５からシートを繰り出すことができる。
【００３７】
支持部材８は、巻取部７を支持できる程度の強度を有する棒状部材であり、その支持部材８の一端が繰出本体部４０の当て棒６側の側面に着脱可能に取り付けられている。６本の支持部材８はいずれも、シートの繰出方向に延びており、支持部材８の上面には、上側が開放した摺動溝が支持部材８の長手方向に設けられている。この摺動溝に巻取部７の後述する摺動突起７１ｄを取り付けることで、巻取部７が支持部材８の長手方向に摺動可能に載置される。隣接する支持部材８の間隔は、巻取部７の下面の幅と略同一となっており、２本の支持部材８で１つの巻取部７を支持している。
【００３８】
巻取部７は、図２に示すように、繰出部４に隣接して設けられ、巻回体５から繰り出したシートをロール状に巻き取る部分であり、繰出部４に対する相対位置を変更可能に２本の支持部材８に支持されている。なお、巻取部７を載置する支持部材８の本数は２本のみに限られず、３本以上であってもよい。図３は巻取部の斜視図であり、図４は図３のＩＶ−ＩＶ線断面図である。
【００３９】
巻取部７は、図３及び図４に示すように、一対の固定板７１と、複数のローラ７１ａと、一対の補助固定板７２と、複数の補助ローラ７２ａと、持ち手７３とを有している。
【００４０】
一対の固定板７１は、互いに対向して配置され、下側に凹む半円弧面７１ｂを上面に有する板状部材である。一対の固定板７１の下面には、支持部材８の摺動溝に嵌め込まれる摺動突起７１ｄが設けられており、摺動突起７１ｄを支持部材８の摺動溝内で摺動させることにより繰出部４に対する巻取部７の相対位置を変更することができる。
【００４１】
複数のローラ７１ａはそれぞれ、一対の固定板７１の半円弧面７１ｂに沿って回転可能に軸支されており、複数のローラ７１ａそれぞれの上面７１ｃは、図４に示すように、固定板７１の半円弧面７１ｂよりも上側に位置している。これにより複数のローラ７１ａの上側にシートが供給されたときにそのシートをロール状に巻くように複数のローラ７１ａがそれぞれ回動する。複数のローラ７１ａの軸方向はシートの繰出方向に略垂直とされており、ローラ７１ａの一端は一方の固定板７１に取り付けられ、ローラ７１ａの他端は他方の固定板７１に取り付けられている。
【００４２】
一対の補助固定板７２は、互いに対向して配置されており、図３及び図４に示すように固定板７１の半円弧面７１ｂと略同形状の半円弧面７２ｂを有している。一対の補助固定板７２は、図４に示すように、一対の固定板７１の上面の一端Ｐを中心として回動可能に一対の固定板７１に取り付けられており、図４の点線で示すように補助固定板７２を固定板７１の上部に配置することで、固定板７１の半円弧面７１ｂと補助固定板７２の半円弧面７２ｂとが一体となって断面略円形の巻取スペースを構成する。
【００４３】
一対の補助固定板７２の側面には持ち手７３が取り付けられており、当該持ち手７３を持ちながら補助固定板７２を上下動させることにより補助固定板７２を固定板７１の隣接する位置に配置された状態と固定板７１の上部に配置された状態とを切り替えることができる。図４の点線で示す状態に補助固定板７２を配置し、固定板７１と補助固定板７２の間にシートを供給することによってシートをロール状に巻くことができる。一方、図４の実線で示すように固定板７１に隣接する位置に補助固定板７２を配置することで、ロール状に巻いたシートを固定板７１と補助固定板７２との間から取り出すことができる。
【００４４】
複数の補助ローラ７２ａはそれぞれ、一対の補助固定板７２の半円弧面７２ｂに沿って回転可能に軸支されており、シートの進入とともに回動し、シートをロール状に巻くのを補助するものである。固定板７１に隣接する位置に補助固定板７２を配置した状態（図４の実線で示す補助固定板７２の状態）で、複数の補助ローラ７２ａそれぞれの上面７２ｃは、補助固定板７２の半円弧面７２ｂよりも上側に位置している。複数の補助ローラ７２ａも、上記複数のローラ７１ａと同様に、補助ローラ７２ａの軸方向がシートの繰出方向に略垂直とされており、補助ローラ７２ａの一端が一方の補助固定板７２に取り付けられ、補助ローラ７２ａの他端が他方の補助固定板７２に取り付けられている。
【００４５】
（巻取方法）
次に、上記ロール装置１０を用いたシートの巻取方法を説明する。図５は、ロール装置１０を用いてシートをロール状に巻く状態を示す斜視図であり、図６は、ロール状に巻いたシート９ａを巻回体５から切り離した後の状態を示す斜視図である。
【００４６】
まず、図２に示す状態において、繰出部４に取り付けられた巻回体５から巻取部７に向けてシート９を引っ張って、巻取部７の固定板７１と補助固定板７２との間の巻取スペースにシート９を挿入する。シート９は巻回体に巻かれていて巻き癖がついているので、巻取スペースに導入されたシート９は複数のローラ７１ａを滑って巻取部７の内部でロール状に巻き取られる。これにより図５に示す状態となる。このときロール状に巻いたシート９ａの上側は補助ローラ７２ａに接し、下側はローラ７１ａに接している。
【００４７】
図５に示す状態で、作業者がロール状に巻いたシートを巻取部７内で回転させることによりシートをロール状に巻いていく。このときロール状に巻いたシートが回転するとともにローラ７１ａ及び補助ローラ７２ａが回転する。そして、所望の長さのシートをロール状に巻き終えると、作業者が繰出部４に対して遠ざかる方向に巻取部７をスライド移動させる。これにより繰出部４と巻取部７との間隔が広くなるため、繰出部４と巻取部７との間に位置するシート９をカッター等で切断しやすくなる。この状態で繰出部４と巻取部７との間に位置するシート９をカッター等で切断することにより（図６）、所望の長さのシート９ａをロール状に巻いたシートを得ることができる。このロール状のシート９ａを、作業者が展張したい場所に運ぶことで所望の展張場所で展張シートを展張することができる。
【００４８】
（作用効果等）
本実施形態のロール装置１０によれば、繰出部４に支持された巻回体５のシート９の端部を巻取部７側に引っ張ることによって巻回体５からシート９を繰り出すことができる。この繰り出したシート９は、巻回体５に巻かれているので巻き癖がついていることから、シート９を巻取部７まで引っ張って巻取部７でロール状に巻くことができる。
【００４９】
そして、ロール状に巻いたシート９ａを、巻取部７の複数のローラ７１ａ上で複数のローラ７１ａとともに回転させることにより、巻回体５からシート９を繰り出し続けることができ、かつ繰り出したシート９をロール状に巻き続けることができる。また繰出部４と巻取部７とが隣接しているので、巻取部７で所望の長さのシートをロール状に巻いた時点で、繰出部４と巻取部７との間に位置するシート９をカッター等で切断することにより、巻回体５から必要長さだけロール状に巻いたシート９ａを切り離すことができる。
【００５０】
上記実施形態によれば、展張部分に繰出部４を配置できない事情があるときに巻回体５からシートを繰り出してその一部をロール状に巻き取って切り出し、切り出した当該ロール状のシート９ａを展張部分に展張することにより繰出部４を配置できない場所にもシート９を展張することが可能となる。
【００５１】
上記実施形態において、複数のローラ７１ａはそれぞれ、下側に凹む円弧状に配置されているので、複数のローラ７１ａ上でロール状に巻き取ったシート９ａを回転させやすくなるし、ロール状に巻き取ったシート９ａが巻取部７から落下することを防止することもできる。
【００５２】
上記実施形態において、一対の固定板７１は下側に凹む半円弧面７１ｂを上面に有し、複数のローラ７１ａそれぞれの上面７１ｃは、固定板７１の上面よりも上側に位置しているので、ロール状に巻いたシート９ａが固定板７１に引っかかることなく、シート９をロール状に容易に巻くことができる。しかも、上記円弧面が半円弧面７１ｂであり、複数のローラ７１ａはそれぞれ、下側に凹む半円弧状に配置されているので、ロール状に巻いたシート９ａが巻きやすく、かつ巻取部７から落下することを防止することもできる。
【００５３】
上記実施形態において、繰出部４に着脱可能に取り付けられ、巻取部７を下側から支持する支持部材８を有しているので、巻取部７を支持する支持部材８を繰出部４から取り外すことにより巻回体５から繰り出したシート９をそのまま展張箇所に展張することもできる。
【００５４】
上記実施形態において、支持部材８は、シートの繰出方向に延び、繰出部４に対する巻取部７の相対位置を変更可能に巻取部７を支持しているので、巻回体５からロール状に巻いたシート９ａを切り離す時に、繰出部４に対する巻取部７の相対位置を離すことで巻回体５とロール状に巻いたシート９ａとの間を広げることができる。これにより巻回体５からロール状に巻いたシート９ａを切り離しやすくなる。
【００５５】
上記実施形態において、巻取部７は一対の固定板７１の上面の一端を中心として回動可能に取り付けられ、半円弧面７１ｂと略同形状の半円弧面７２ｂを有する一対の補助固定板７２と、一対の補助固定板７２の半円弧面に沿って補助固定板７２に回転可能に軸支される複数の補助ローラ７２ａとを有しているので、この補助固定板７２を固定板７１の上部に配置することで固定板７１の半円弧面７１ｂと補助固定板７２の半円弧面７２ｂとが一体となって略円形を構成することができる。
【００５６】
このローラ７１ａと補助ローラ７２ａとの間でシートをロール状に巻くことにより、補助ローラ７２ａがロール状に巻いたシート９ａの上側に当接するので、ロール状に巻いたシート９ａの径が過剰に大きくなることを抑制することができる。また補助固定板７２が固定板７１の上面の一端を中心に回動可能に取り付けられているので、ロール状に巻き取ったシート９ａを得た後に、補助固定板７２を固定板７１の上側の位置から固定板７１の隣接する位置に移動することによってロール状に巻いたシート９ａの上部を開放することができ、ロール状のシート９ａを取り出すことができる。
【００５７】
上記実施形態において、複数のローラ７１ａの軸方向とシートの繰出方向とが略垂直とされているので、巻回体５から繰り出したシート９の方向を変更することなく複数のローラ７１ａにシート９を供給することができ、ロール状に巻いたシート９ａにシワや捻じれが生じることを抑制することができる。
【００５８】
上記実施形態において、繰出部４は巻回体５を回転可能に軸支する巻回体軸支部４１を有するので、巻回体軸支部４１で軸支された巻回体５を回転させることにより巻回体５からシート９を繰り出すことができる。このようにシート９を繰り出すことで、シート９にシワが生じることなくシートをロール状に巻くことができる。
【００５９】
（実施形態２：シート展張装置）
実施形態１においては、繰出部４からシートを繰り出して巻取部７でロール状に巻き取る場合を説明したが、本実施形態では、シート展張装置１の上記繰出部４からシートを繰り出す形態を説明する。実施形態１のロール装置は、繰出部４から展張箇所にシートを展張する動作を想定していないが、実施形態２のシート展張装置１は、繰出部４から展張箇所にシートを展張する動作を想定しており、繰出部４から展張箇所にシートを展張できない場合にのみ、実施形態１のように巻取部７及び支持部材８を取り付けた上で、シートを繰り出して巻取部７でシートをロール状に巻き取って切り取り、展張箇所にシートを展張する。
【００６０】
図７は実施形態２のシート展張装置の斜視図であり、図８は図７のシート展張装置からシートを繰り出した状態を示す斜視図である。本実施形態のシート展張装置１は、図７に示すように、キャタピラー３と、繰出部４と、当て棒６とを有している。なお、繰出部４及び当て棒６はいずれも実施形態１と同一の構成であるため説明を省略する。
【００６１】
キャタピラー３は、図7に示すように、駆動ローラ３１と、駆動ローラ３１の回転により駆動する従動ローラ３２と、駆動ローラ３１及び従動ローラ３２に張架され、これらローラ間を無端走行するベルト３３とを有している。図外のモータの回転軸により駆動ローラ３１に回転駆動力が付与されると、それによって駆動ローラ３１が回転し、この駆動ローラ３１の回転に連動して従動ローラ３２が回転駆動する。これらローラの回転駆動が動力となってベルト３３が無端走行することによりシート展張装置１が巻回体５の長手方向に走行する。このようにシート展張装置１が走行することによりシートを展張したい場所にシート展張装置１を移動させることができる。
【００６２】
（展張方法）
実施形態２のシート展張装置１をシートを展張したい箇所の上部又は下部に配置し、その場所で図８に示すように巻回体５からシートの端部を繰り出すことで、シートを展張したい場所にシートを展張することができる。図１では一例として、廃棄物処分場の法面１２に対して作業員１３がシートを展張する作業を示しており、廃棄物処分場の法面天端上１１にシート展張装置１を配置し、当該シート展張装置１の巻回体５から作業員１３がシート９を繰り出して法面１２の下側にシート９を引っ張っている。このようにして廃棄物処分場の法面１２をシート９で覆った後に、繰り出したシート９を巻回体５から切断することにより枚葉状のシート９を法面１２に展張する。
【００６３】
図９は、図７に示すシート展張装置に対し支持部材８を取り付けた状態を示す斜視図であり、図１０は、図９の支持部材の上面に巻取部を搭載した状態を示す斜視図である。図１に示すようにシートを展張したい場所の上部に上記シート展張装置１を配置できる場合には、シート展張装置１からシート９を繰り出して展張場所にシート９を展張することができるが、展張場所によってはシート展張装置１を配置できないことも多い。この場合には、図９に示すように繰出部４に対して６本の支持部材８の一端を取り付ける。この支持部材８はシートの繰出方向に延びるように設置される。
【００６４】
上記２本の支持部材８の上面の摺動溝にそれぞれ１つずつ合計３つの巻取部７の摺動突起７１ｄを取り付けることにより、図１０に示す状態となる。この状態で、巻取部７で所望の長さのシートをロール状に巻き取って、ロール状のシート９ａを切り出す。そして、補助固定板７２を固定板７１に対して回転させることにより補助固定板７２を固定板７１の隣接する位置に配置し、ロール状に巻き取ったシートを取り出してそのロール状のシートを展張したい場所に運んで展張する。これによりシート展張装置１を配置できない場所にもシート９を展張することが可能となる。
【００６５】
（変形例）
図１１は、巻取部７の変形例を示す斜視図である。上記各実施形態においては、巻取部７が固定板７１と補助固定板７２とを有していたが、図１１に示すように補助固定板７２及び補助ローラ７２ａを省略することもできる。図１２は、図１１の巻取部７でシートをロール状に巻き取る状態を示す斜視図である。図１２に示すように補助固定板７２を省略してもシートをロール状に巻き取ることができる。補助固定板７２を設けない場合は、シートをロール状に巻く過程の中で、ロール状に巻いたシートの上側が補助ローラ７２ａに接触しないので、ロール状に巻いたシートのロールの直径が大きくなり過ぎないように、適宜作業者がロール状に巻いたシートの上側を押さえてシートを巻き締めながらシートをロール状に巻くことが好ましい。このように補助固定板７２を省略することにより巻取部７の構成をより簡便にすることができ、より長尺にシート９ａをロール状に巻き取ることができる。また巻取部７の重量を軽量化することも可能となるので、支持部材８の強度を低下させることもできる。また支持部材８が補助固定板７２を支える必要がなくなるため支持部材８の長手方向の長さを短くすることができる。
【００６６】
図１３は繰出部４の変形例を示す斜視図である。上記各実施形態においては、繰出部４の巻回体軸支部４１によって巻回体５を回転可能に軸支していたが、巻回体軸支部４１に代えて複数の送出ローラ４２及び送出ローラ軸支部４３を設けることで、巻回体５を回転可能に下側から支持してもよい。
【００６７】
複数の送出ローラ４２は、巻回体５を下側から支持するものであり、図１３に示すように、複数の送出ローラ４２の各上面が下向きの円弧をなすように送出ローラ軸支部４３に回動可能に軸支されている。このように送出ローラ４２及び送出ローラ軸支部４３を有する構成とすることにより、巻回体５のシートの端部が引っ張られることで、送出ローラ４２の上部に配置された巻回体５が回転すると、当該回転に伴って送出ローラ４２が回転する。このように送出ローラ４２が回転することで、巻回体５が送出ローラ４２の上面から落下することなく、送出ローラ４２上で回転し続けることができ、巻取部７にシート９を繰り出すことができる。このようにシート９を繰り出すことによりシート９にシワが生じることなくシートをロール状に巻くことができる。
【００６８】
図１４は繰出部４の変形例を示す斜視図である。巻回体５には、図１４に示すように、巻回体５からシートを送り出す際にシートが幅方向にズレることを防止する巻回体補助装置４４が取り付けられていてもよい。巻回体補助装置４４は、上面視で長手方向の長さが巻回体５の幅方向（長手方向に垂直方向）の長さよりも若干長い長方形の枠体形状であり、巻回体５の芯材の空洞部を通過する支持棒４４ａと、支持棒４４ａの端部から巻取部７とは反対方向に延びる一対のズレ防止棒４４ｂと、一対のズレ防止棒４４ｂの両端を繋ぐ外側棒４４ｃとを有している。巻回体５の芯材の空洞部に支持棒４４ａを挿入することで、巻回体５からシートを繰り出す時にシートの繰り出し方向がズレると、シートの端部がズレ防止棒４４ｂに接触し、シートがその幅方向にズレることを防止することができる。
【００６９】
上記実施形態においては、巻回体５の回転に伴って送出ローラ４２を回転させる構成を説明したが、送出ローラ４２を回転させるための動力装置（図示せず）を設けてもよい。この動力装置によって送出ローラ４２を回転させることにより、シートの繰出作業や巻取作業を容易することができる。
【００７０】
上記動力装置によって送出ローラ４２を回転させる場合、シート９の繰り出しを開始する方向に送出ローラ４２を回転させるスイッチと、前記回転方向とは反対向きに送出ローラ４２を回転（つまり逆回転）させるスイッチと、をそれぞれ設けることが好ましい。これらのスイッチの配置位置は特に限定されず、作業者の手元に設けてもよいし、作業者の足元に設けてもよい。これらのスイッチを作業者の足元に設けることにより、巻き取り作業をしながら足元でシート９の送り出しを調整することができるので、巻取作業を効率よく実行することができる。
【００７１】
上記各実施形態においては、繰出部４に対し、巻取部７を載置した支持部材８を着脱可能に取り付ける構成を説明したが、支持部材８を設けることなく、繰出部４に対して巻取部７を直接取り付けることもできる。また、繰出部４と巻取部７とが物理的に連結されていなくてもよく、繰出部４の隣接する位置に巻取部７を設置するのみであってもよい。また、上記実施形態においては、巻取部７が支持部材８に対して着脱可能に取り付けられる場合を説明したが、巻取部７と支持部材８とが一体となっていてもよい。
【００７２】
上記各実施形態においては、固定板７１及び補助固定板７２がいずれも半円弧面を有する場合を説明したが、固定板７１又は補助固定板７２のいずれか一方若しくは両方が単なる円弧面であってもよい。
【００７３】
また上記各実施形態においては、複数のローラ７１ａはそれぞれ、下側に凹む円弧状に配置されている場合を説明したが、図６に示すように複数のローラ７１ａが円弧上に配置されていなくてもよく、例えば複数のローラが地面に対して水平となるように互いに離間して配置されていてもよい。
【００７４】
上記各実施形態においては、支持部材８の上面に設けられた摺動溝に固定板７１の下部の摺動突起７１ｄを取り付けることによって支持部材８の上面で摺動可能に巻取部７が支持される場合を説明したが、支持部材８の上面に巻取部７を取り付ける方法は、上記形態のみに限られない。
【００７５】
上記各実施形態においては、複数のローラ７１ａの上面が固定板７１の上面よりも上側に位置する場合を説明したが、複数のローラ７１ａの長手方向の長さがシートの幅方向の長さ（長手方向に垂直な方向の長さ）よりも長い場合には、固定板７１の上面が複数のローラ７１ａの上面よりも上側に位置していてもよい。
【符号の説明】
【００７６】
１  シート展張装置
３  キャタピラー
４  繰出機
５  巻回体
６  当て棒
７  巻取部
８  支持部材
９  シート
９ａ  ロール状に巻いたシート
１０  ロール装置
４１  巻回体軸支部
４２  送出ローラ
４３  送出ローラ軸支部
４４  巻回体補助装置
７１  固定板
７１ａ  ローラ
７１ｄ  摺動突起
７２  補助固定板
７２ａ  補助ローラ
７３  持ち手
【図１】
2018002438.tif 000003
【図２】
2018002438.tif 000004
【図３】
2018002438.tif 000005
【図４】
2018002438.tif 000006
【図５】
2018002438.tif 000007
【図６】
2018002438.tif 000008
【図７】
2018002438.tif 000009
【図８】
2018002438.tif 000010
【図９】
2018002438.tif 000011
【図１０】
2018002438.tif 000012
【図１１】
2018002438.tif 000013
【図１２】
2018002438.tif 000014
【図１３】
2018002438.tif 000015
【図１４】
2018002438.tif 000016